(57)【要約】【課題】ハード的な構成を後から追加せずにストロボが指で塞がれたことを検出する。【解決手段】静止画撮像手段と、静止画撮像手段による撮像を行う際に発光を行う発光手段と、第１の集音手段と、第２の集音手段と、前記集音手段が物体により塞がれていることを検知する検知手段と、ユーザに情報を報知する報知手段とを有する撮像装置であって、前記第１の集音手段は、前記発光手段から所定の距離以内の距離に配置され、前記第２の集音手段は、前記発光手段から前記所定の距離より遠い距離に配置され、前記報知手段は、前記検知手段により所定のフィルタ部を通し、前記第１の集音手段と、前記第２の集音手段とから音声信号の所定の周波数帯におけるレベル差が所定レベル以上であることを算出することを特徴とする。【選択図】図１
2017157893.tif 000002
【特許請求の範囲】
【請求項１】
静止画撮像手段と、
静止画撮像手段による撮像を行う際に発光を行う発光手段と、
第１の集音手段と、
第２の集音手段と、
前記集音手段が物体により塞がれていることを検知する検知手段と、
ユーザに情報を報知する報知手段を有する撮像装置であって、
前記第１の集音手段は、前記発光手段から所定の距離以内の距離に配置され、
前記第２の集音手段は、前記発光手段から前記所定の距離より遠い距離に配置され、 
前記報知手段は、前記検知手段により所定のフィルタ部を通し、前記第１の集音手段と、前記第２の集音手段とから音声信号の所定の周波数帯におけるレベル差が所定レベル以上であることを算出することを特徴とする撮像装置。
【請求項２】
前記フィルタ部は、ハイパスフィルタであることを特徴とする請求項１に記載の撮像装置。
【請求項３】
前記フィルタ部はバンドパスフィルタであることを特徴とする請求項１に記載の撮像装置。
【請求項４】
前記検出手段は、シャッタ半押し時に検出処理を開始することを特徴とする請求項１に記載の撮像装置。
【請求項５】
静止画撮像手段と、
静止画撮像手段による撮像を行う際に発光を行う発光手段と、
前記集音手段が物体により塞がれていることを検知する検知手段と、
ユーザに情報を報知する報知手段を有する撮像装置であって、
前記集音手段は、前記発光手段から所定の距離以内の距離に配置され、
前記報知手段は、前記検知手段により所定のフィルタ部を通し、前記集音手段から音声信号の所定の周波数帯における音声レベルの一定時間平均値に対して実時間でのレベルの値が所定レベル以下であることを検出することを特徴とする撮像装置。
【請求項６】
前記フィルタ部は、ハイパスフィルタであることを特徴とする請求項５に記載の撮像装置。
【請求項７】
前記フィルタ部はバンドパスフィルタであることを特徴とする請求項５に記載の撮像装置。
【請求項８】
前記検出手段は、シャッタ半押し時に検出処理を開始することを特徴とする請求項５に記載の撮像装置。
【請求項９】
静止画撮像手段と、
静止画撮像手段による撮像を行う際に発光を行う発光手段と、
前記集音手段が物体により塞がれていることを検知する検知手段と
撮影モードを変更する撮影モード変換手段を有する撮像装置であって、
前記集音手段は、前記発光手段から所定の距離以内の距離に配置され、
前記報知手段は、前記検知手段により所定のフィルタ部を通し、前記集音手段から音声信号の所定の周波数帯における音声レベルの一定時間平均値に対して実時間でのレベルの値が所定レベル以下であることを検出し、好適な撮影モードに変更することを特徴とする撮像装置。
【請求項１０】
前記フィルタ部は、ハイパスフィルタであることを特徴とする請求項９に記載の撮像装置。
【請求項１１】
前記フィルタ部はバンドパスフィルタであることを特徴とする請求項９に記載の撮像装置。
【請求項１２】
前記検出手段は、シャッタ半押し時に検出処理を開始することを特徴とする請求項９に記載の撮像装置。
【発明の詳細な説明】
【技術分野】
【０００１】
本発明は、撮像装置に関する。
【背景技術】
【０００２】
従来、撮像装置には暗い場所や夜間において被写体を照らすために、ストロボを設けている撮像装置がある。このストロボが指で塞がれてしまうと、被写体を照らせず、所望の明るい被写体が撮影できないといった問題があった。
【０００３】
このような問題に対し、ストロボが指で塞がれないようにするために、特許文献１のように突起を設けたりするものがある。他にも塞がれたことを検出するためには例えば、光センサやタッチセンサを設けたりすることでストロボが塞がれたことを検知する技術が特許文献２や特許文献３として提案されている。
【先行技術文献】
【特許文献】
【０００４】
【特許文献１】特開平８−２０１８８７号公報
【特許文献２】特開平１０−３３３２３６号公報
【特許文献３】特開２０００−２０６６０２号公報
【発明の概要】
【発明が解決しようとする課題】
【０００５】
しかしながら、従来技術においては、ストロボが指で塞がれないようにする、または塞がれたことを検出するために、ハード的な構成を追加する必要があり、このためにコストアップにつながっていた。
【課題を解決するための手段】
【０００６】
上記の課題を解決するために、本発明に係る撮像装置は、
静止画撮像手段と、静止画撮像手段による撮像を行う際に発光を行う発光手段と、第１の集音手段と、第２の集音手段と、前記集音手段が物体により塞がれていることを検知する検知手段と、ユーザに情報を報知する報知手段とを有する撮像装置であって、前記第１の集音手段は、前記発光手段から所定の距離以内の距離に配置され、前記第２の集音手段は、前記発光手段から前記所定の距離より遠い距離に配置され、前記報知手段は、前記検知手段により所定のフィルタ部を通し、前記第１の集音手段と、前記第２の集音手段とから音声信号の所定の周波数帯におけるレベル差が所定レベル以上であることを算出することを特徴とする。
【発明の効果】
【０００７】
本発明によれば、ハード的な構成を後から追加せずにストロボを塞がれたことを検出することができる撮像装置を提供することができる。
【図面の簡単な説明】
【０００８】
【図１】第１実施例のブロック図である。
【図２】第１実施例の撮像装置の外観である。
【図３】第１実施例の撮影者が構えている時の例である。
【図４】左右の音の周波数特性を表す例である。
【図５】第１実施例のフローチャートである。
【図６】警告文表示の例である。
【図７】第２実施例のブロック図である。
【図８】第２実施例の撮像装置の外観である。
【図９】第２実施例の撮影者が構えている時の例である。
【図１０】第２実施例のフローチャートである。
【図１１】第３実施例のブロック図である。
【図１２】第３実施例のフローチャートである。
【発明を実施するための形態】
【０００９】
［第1実施例］
図１に、本発明の好適な実施例を示す。
【００１０】
１はレンズ、２は光を電気信号に変換するCCDやCOMSのセンサ、３は、ガンマ処理、ノイズリダクション処理、ホワイトバランス処理などを行う現像処理部である。リサイズ部４は、記録フォーマットに従い、所定の画像サイズに縮小するリサイズ処理を行う。記録処理部５は、リサイズ４で縮小した画像を所定の記録フォーマットに変換し、記録媒体６に記録する。
【００１１】
リサイズ部７では、表示部９に画像を表示するため、表示部９の表示フォーマットに従った所定の画像サイズに画像をリサイズする。また、OSD(On Screen Display)処理部８では、モニター画像に撮影時の日時やモードを表示部９に重畳するための回路である。
【００１２】
１０はLch側のマイク、１１はRch側のマイクであり１２と１３のマイクアンプでそれぞれ増幅され、１４と１５のAD変換器でデジタル信号に変換される。マイク１０、マイク１１は無指向性マイクが使われることが多い。１６と１７は音声の所定帯域を抜き出すハイパス（高域通過）フィルタまたはバンドパス（帯域通過）フィルタであり、１８と１９はそれぞれフィルタ部１６、フィルタ部１７の音声レベルを求めるレベル算出器である。２０はレベル算出部１８，１９で求めたLch側のマイク１０、Rch側のマイク１１の音声レベルを比較する比較回路である。
【００１３】
フィルタ部１６、１７、レベル算出部１８、１９、レベル比較部２０は、オーディオプロセッサ２１内部にありOSD処理部７に後述するCPU２２のバスラインを介して接続し、レベル比較結果を反映させる。そのほかオーディオプロセッサ２１は動画撮影時に風雑音除去を行っている。CPU２２は、制御プログラムにより、撮像装置全体の制御を行う。CPU２２でオーディオプロセッサ２１内部のレベル比較部２０で音声レベルを比較した結果をOSD処理部７に反映する。
【００１４】
図２は撮像装置の外観例を表す図である。
【００１５】
図２における２４はストロボであり、本発明の構成ではLch側のマイク１０と近距離に設置されている。Rch側のマイク１１はレンズ１をまたいで、Lch側と反対側に設置されている。このように構成された撮像装置で静止画を撮影する場合、ストロボが指でふさがれたことを判断し警告する動作を説明する。
【００１６】
図３は撮影者が撮像装置を構えた様子を表したものである。
【００１７】
撮影時に、Lch側のマイク１０が指で塞がれる場合、近距離に設置されているストロボ２５も指で塞がれてしまう。
【００１８】
図４はLch側のマイク１０が指で塞がれた際の得られる周波数特性の例をあらわしている。
【００１９】
４０、４１はRch側、Lch側のマイクから得られた音声の周波数特性の波形である。また４２はハイパスフィルタ、４３はバンドパスフィルタである。フィルタ部１６，１７のマイクは無指向性なので音の方向によって位相は異なるが、通常、周波数毎の音声レベルはほぼ揃っている。一般にマイクのカバー部材を指で塞ぐと高域ほど影響を受け易く、図４のように低域よりも高域の差が大きく現れる。低域は風の影響を受け易く、風による雑音は左右の相関が無い為、指がかかってなくても左右の誤差が生じ易い。
【００２０】
そこで図４で表されているようにハイパスフィルタ４２で左右の音の中域以上の周波数を抽出し、そのレベルを求め、比較回路２０で比較する。また、高域側はマイクのカバー部材等の影響を受ける為、指がかかってなくても左右の誤差が生じ易い場合がある。その場合フィルタ部１６、フィルタ部１７はバンドパスフィルタ４３の方が望ましい。ただし、カバー部材等が無い高域側の影響が少ないような場合は、処理ステップが少なくなるハイパスフィルタを用いることが望ましい。
【００２１】
図５は本発明における、ストロボの塞ぎ検知のフローチャートを表している。
【００２２】
S５０では、シャッタ２６が半押し状態の時、S５１に移行する。
【００２３】
S５１では、S５０で半押し状態であれば、オートフォーカス機能によりフォーカスを合わせる。
【００２４】
S５２では、マイク７、８の機能を起動させ、周囲の音の集音を開始する。
【００２５】
S５３では、S５２で集音した音からフィルタ部１６、フィルタ部１７で音の周波数解析を行う。例えばハイパスフィルタ４２であれば、中域から高域の周波数を抽出し、またバンドパスフィルタ４３では中域周波数を抽出する。
【００２６】
S５４では、レベル算出部１８，１９においてS５３で抽出した特定周波数範囲の音声レベルを算出する。
【００２７】
S５５では、S５４で算出した左右の音声レベルを比較回路２０で比較し、Lchマイク１０の音声レベルがＲchマイク１１の音声レベルに比べて一定値以上低ければ、S５６に移行する。
【００２８】
S５６では、マイクが指で塞がれていることを判断すると、OSD処理部７で表示部９に図６のようなストロボ２５が指でふさがれていることを示す警告文を表示させる．
本実施例のような動画撮影と静止画撮影の両方撮影できる撮像装置において、従来撮像装置に配置されているマイクと風雑音除去等を行っているオーディオプロセッサを利用することでコストアップなくストロボの塞ぎ検知ができ、撮影者に知らせることができる。
【００２９】
［第２実施例］
図７は本発明の第２の実施例を説明するブロック図である。本実施形態の撮像装置の基本的な制御において、第１の実施形態と重複する説明は省略する。
【００３０】
図８は図７のような構成を持つ撮像装置の外観を表す図である。図９は本実施例において、ストロボが指で塞がれた状態を表す図である。
【００３１】
本実施例では、モノラルのマイクで集音された音声を基に、その近距離に設置しているストロボの塞ぎ検知を行う。マイク１０で集音した音はマイクアンプ１２で増幅され、AD変換器１４でデジタル信号に変換される。ハイパスフィルタやバンドパスフィルタであるフィルタ部１６を通し、音の周波数解析を行う。レベル算出部１８は、フィルタ部１６の特定周波数における音声レベルを求める。レベル積算部２２ではレベル算出部１８で算出した音声レベルを積算する。レベル積算部２２で算出した積算値のある一定時間の平均を移動平均算出部２３で求める。
【００３２】
移動平均算出部２３はレベル積算部２２で求めた音声レベルを積算した値を一定時間間隔で平均していく。移動平均算出部２３で求めた音声レベルの積算値と、レベル算出部１８においてリアルタイムで算出した音声レベルの積算値をレベル比較部２０で比較し、リアルタイムで検出した音声レベルが移動平均算出部２３で求めた音声レベルに対して一定値以下であれば表示部９に警告文を表示する。
【００３３】
図１０は本実施例のストロボの塞ぎ検知のフローチャートを表している。
【００３４】
S１００では、シャッタ２６が半押し状態の時、S５２に移行する。
【００３５】
S１０１では、S１００でシャッタ２６が半押し状態であれば、オートフォーカス機能によりフォーカスを合わせる。
【００３６】
S１０２では、シャッタ２６が半押し状態であり、フォーカスがS１０１で合っていればマイク１０の機能を起動させ、周囲の音の集音を開始する。
【００３７】
S１０３では、S１０２で集音した音からフィルタ部１６で音の周波数解析を行う。例えば、フィルタ部１６がハイパスフィルタ４２であれば、中域から高域の周波数を抽出し、またバンドパスフィルタ４３では中域周波数を抽出する。
【００３８】
S１０４では、レベル算出部１８においてS１０３で抽出した特定周波数範囲の音声レベルを算出する。
【００３９】
S１０５では、S１０４で求めた音声レベルをレベル積算部２２で積算する。
【００４０】
S１０６では、S１０５で算出した音声レベルの積算値を移動平均算出部２３で一定時間間隔毎に平均する。
【００４１】
S１０７では、S１０６で算出した音の特定周波数範囲のレベルの積算値とリアルタイムで算出した音の特定周波数範囲のレベルの積算値をレベル比較部２０で比較する。
【００４２】
S１０８では、S１０７で求めた音声レベルの積算値の平均に対して、リアルタイムで求めた音声レベルの積算値がある一定値以下の値であれば、マイクが指で塞がれており、その近距離にあるストロボ２５も指で塞がれていると判断し、S１０９に移行する。
【００４３】
S１０９では、S１０８で指がマイクにかかっていることを判断すると、OSD処理部７から表示部９に図６のようなストロボ２５が指でふさがれていることを示す警告文を表示させる。
【００４４】
本実施例のような構成により、また、モノラルマイクの場合でも、ハード的な構成を追加せず、ストロボの塞ぎ検知ができ、撮影者に通知することができる。
【００４５】
［第３実施例］
図１１は本発明の第３の実施例を説明するブロック図である。本実施形態の撮像装置の基本的な制御において、第１及び第２の実施形態と重複する説明は省略する。
【００４６】
図１１では、Lchマイク１０が指で塞がれたことを検知する場合、ストロボ２５が塞がれている可能性がある為、ストロボ撮影の代わりとして低照度な複数枚の画像を重ね合わせてノイズ低減させつつ高感度化する場合に好適な高感度化撮影モードに変更する例を示す。図１１において、シャッタモード変換部２７は、マイクが塞がれたことを検知するとＣＰＵ２２からシャッタ駆動を変更するための撮影条件信号を受信し、シャッタ２８の駆動を連写撮影モードに変更する。
【００４７】
撮影モード変換部２９は、マイクが塞がれたことを検知するとＣＰＵ２２から撮影モードを高感度化撮影モードに変更するための撮影モード変更信号を受けると撮影モードを切り替える。画像記憶部３０は、シャッタモード変換部２７で連写撮影モードに変更し撮影した画像を一時的に記憶しておく。この時、連写した複数枚の画像間には、手ぶれによる構図のずれが生じる。ずれ量算出部３１では、画像記憶部３０で一時的に保存した複数枚の画像より特徴点を抽出する。ここで特徴点とは、例えば輝度の変化が大きいエッジ部分である。
【００４８】
複数枚画像の特徴点同士を比較し、特徴点のベクトルを求める。特徴点のベクトルは、手ぶれによる動きベクトルであると考え、動きベクトルが最も大きい値を画像間のずれ量とする。また、図示しないジャイロセンサを用いてカメラの動き成分を抽出し、動き成分をずれ量とすることもできる。座標変換部３２では、ずれ量算出部３１で求めたずれ量を基に画像をずらし、特徴点同士を重ねるようにして座標変換を行う。画像合成部３３は、座標変換部３２は、座標変換した複数の画像を重ね合わせることで１枚の高感度な画像を作成する。
【００４９】
例えば、輝度を加算することで十分な明るさを持つ画像を得る単純加算方式を用いる。上記高感度撮影において、連写撮影枚数は、撮影時の適正露出によるシャッタ速度と予め設定しておいた高感度化撮影時のシャッタ速度より、
[撮影枚数]＝[撮影時のシャッタ速度]/[高感度化撮影時のシャッタ速度]  （１）
と求められる。例えば、手持ちで夜景を撮影したい場合、その時の適正露光時間を１秒とし、高感度化撮影時の固定シャッタ速度を１/１０秒とすると撮影枚数は１０枚となる。また、（１）式において連写撮影枚数を固定にしておき、高感度化影時のシャッタ速度を変更する方法でも良い。
【００５０】
図１２は本実施例のストロボの塞ぎ検知のフローチャートを表している。
【００５１】
S１２０では、シャッタ２６が半押し状態の時、S１２２に移行する。
【００５２】
S１２１では、S１２０で半押し状態であれば、オートフォーカス機能によりフォーカスを合わせる。
【００５３】
S１２２では、マイク７、８の機能を起動させ、周囲の音の集音を開始する。
【００５４】
S１２３では、S１２２で集音した音からフィルタ部１６、フィルタ部１７で音の周波数解析を行う。例えばハイパスフィルタ４２であれば、中域から高域の周波数を抽出し、またバンドパスフィルタ４３では中域周波数を抽出する。
【００５５】
S１２４では、レベル算出部１８，１９においてS１２３で抽出した特定周波数範囲の音声レベルを算出する。
【００５６】
S１２５では、S１２４で算出した左右の音声レベルを比較回路２０で比較し、レベルの大きさが一定値以上の差が生じた時、S１２６に移行する。
【００５７】
S１２６では、S１２５でマイクが塞がれたことを検知した場合、シャッタ駆動を変更するための撮影条件信号を受信し、シャッタモードを連写撮影モードに切り替える。
【００５８】
S１２７では、S１２５でマイクが塞がれたことを検知した場合、撮影モード変換部２９で撮影モードを高感度撮影モードに変更し切り替え機３４も撮影モードパスに切り替える。
【００５９】
S１２８では、S１２７で高感度撮影モードにモード変更した場合、画像記憶部３０に画像を保存する。
【００６０】
S１２９では、画像記憶部３０に一定枚数保存したらS１３０に移行する。
【００６１】
S１３０では、ずれ量算出部３１で画像の特徴点を抽出し、画像間のずれ量を求める。
【００６２】
S１３１では、S１３０で求めた画像間のずれ量から座標変換部３２で座標変換を行い複数枚の画像の位置合わせを行う。
【００６３】
S１３２では、位置合わせした複数枚の画像を重ね合わせることで1枚の高感度画像を作成する。
【００６４】
S１３３では、OSD処理部７で表示部９に高感度撮影モードに変更して撮影した旨を表示する。
【００６５】
本実施例のような動画撮影と静止画撮影の両方撮影できる撮像装置において、従来撮像装置に配置されているマイクとオーディオプロセッサを利用することでコストアップなくストロボの塞ぎ検知ができ、撮影モードを切り替えることで良好な画像を撮影できる。
【符号の説明】
【００６６】
１  レンズ、２  センサ、３  現像処理部、４  リサイズ部、５  記録処理部、
６  記録媒体
【図１】
2017157893.tif 000003
【図２】
2017157893.tif 000004
【図３】
2017157893.tif 000005
【図４】
2017157893.tif 000006
【図５】
2017157893.tif 000007
【図６】
2017157893.tif 000008
【図７】
2017157893.tif 000009
【図８】
2017157893.tif 000010
【図９】
2017157893.tif 000011
【図１０】
2017157893.tif 000012
【図１１】
2017157893.tif 000013
【図１２】
2017157893.tif 000014